(57)【要約】      （修正有）【課題】側片本体が安定的に立てフレームに係合されて、側片本体がより安定的にデッキ枠に組立てられるデッキ枠側片構造を提供する。【解決手段】側片本体１０から伸びて一体成形され、側片本体１０の両側の端縁を内へ湾曲して抵当端１１が形成され、抵当端１１に、複数の結合孔１１１が貫設され、側片本体１０の前後端に、それぞれ、クリップ保持端１２が形成され、クリップ保持端１２が、それぞれ、定位端縁１２１と湾曲状の挟み持ち端縁１２２が形成され、側片本体１０の表面に、組立て面１３が形成され、組立て面１３に、複数の組立て孔１３１が貫設される、側片本体１０のクリップ保持端１２に形成される定位端縁１２１と挟み持ち端縁１２２で、左右から、デッキ枠の縦方向棒を挟み持ち、また、抵当端１１で、デッキ枠の横方向棒に抵当する。【選択図】図１
0003148248.tif 000002
【実用新案登録請求の範囲】
【請求項１】
側片本体から伸びて一体成形され、上記側片本体の両側の端縁を内へ湾曲して抵当端が形成され、抵当端に、複数の結合孔が貫設され、その側片本体の前後端に、それぞれ、クリップ保持端が形成され、上記クリップ保持端が、それぞれ、定位端縁と湾曲状の挟み持ち端縁が形成され、その側片本体の表面に、組立て面が形成され、上記組立て面に、複数の組立て孔が貫設される、ことを特徴とするデッキ枠側片構造。
【請求項２】
結合孔に合わせて、ベッドが設けられることを特徴とする請求項１に記載のデッキ枠側片構造。
【請求項３】
上記ベッドの上下方に、それぞれ、固定端と抵当端が形成されることを特徴とする請求項２に記載のデッキ枠側片構造。
【請求項４】
結合孔に、ベッドが結合され、ベッドの下方に形成された抵当端で、横方向棒に抵当することにより、上記側片本体が、立てフレーム上の高さを調整することを特徴とする請求項２や３に記載のデッキ枠側片構造。
【請求項５】
側片本体の組立て面に、シュー構造が組立てられることを特徴とする請求項１に記載のデッキ枠側片構造。
【請求項６】
上記シュー構造に、層板が結合されることを特徴とする請求項２に記載のデッキ枠側片構造。
【請求項７】
側片本体の組立て面に、吊り下げ部材が組立てられることを特徴とする請求項１に記載のデッキ枠側片構造。
【請求項８】
上記吊り下げ部材が、組立てに合わせて、棒体が設けられることを特徴とする請求項４に記載のデッキ枠側片構造。
【考案の詳細な説明】
【技術分野】
【０００１】
本考案は、デッキ枠側片構造を提供し、特に、側片本体の両側端に、それぞれ、クリップ保持端が設けられて、側片本体がデッキ枠に組立てられると、より安定になり、使用安全性が向上されるものに関する。
【背景技術】
【０００２】
市販の、縦横方向の棒鋼を利用する組立て式デッキ枠が多くなり、上記デッキ枠が、より良い実用性を得るため、デッキ枠の側辺に、側片構造を設置し、図９のように、デッキ枠側片５０の構造は、板体から伸びて一体成形され、上記板体の両端の側辺が湾曲されて抵当面５１が形成され、また、デッキ枠側片５０の前後端に、それぞれ、組立て端５２が形成され、その二つの組立て端５２が、同一方向へ湾曲されて円弧状の端面を有し、また、抵当面５１と同じの方向へ湾曲され、そのデッキ枠側片５０は、両側にある円弧状の組立て端５２により、デッキ枠６０の縦方向棒６１に嵌合されて固定され、また、抵当面５１で、横方向棒６２に抵当し、これにより、デッキ枠側片５０が、デッキ枠構造に固定され、そのデッキ枠側片５０は、組立て孔に合わせて、その他の実装部材が組み立てることができ、これにより、上記デッキ枠構造は、実用性が充実され、従来のデッキ枠側片５０は、前後端から伸びた組立て端で、デッキ枠の棒体構造に係合され、上記デッキ枠側片５０の組立て端が、同一方向に湾曲され、そのデッキ枠側片５０が、デッキ枠の棒体に固定される時、上記組立て端が、同一方向の固定端面が形成され、上記デッキ枠側片５０を使用して実装部材を追加する場合、上記デッキ枠側片５０が、安定にデッキ枠の棒体の上端に設置できず、デッキ枠側片５０が、使用する時、デッキ枠の棒体から脱落しやすい。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の目的は、上記側片本体の両側に、クリップ保持端が設けられ、上記クリップ保持端に形成された定位端縁と挟み持ち端縁を利用して、左右から上記縦方向棒を挟み持ち、また、抵当端で、横方向棒に抵当するため、上記側片本体が、安定に立てフレームに係止され、これにより、上記側片本体が、より安定にデッキ枠構造に組立てされるデッキ枠側片構造を提供する。
【課題を解決するための手段】
【０００５】
請求項１の考案は、側片本体から伸びて一体成形され、上記側片本体の両側の端縁を内へ湾曲して抵当端が形成され、抵当端に、複数の結合孔が貫設され、その側片本体の前後端に、それぞれ、クリップ保持端が形成され、上記クリップ保持端が、それぞれ、定位端縁と湾曲状の挟み持ち端縁が形成され、その側片本体の表面に、組立て面が形成され、上記組立て面に、複数の組立て孔が貫設される、ことを特徴とするデッキ枠側片構造である。
【０００６】
請求項２の考案は、結合孔に合わせて、ベッドが設けられることを特徴とする請求項１に記載のデッキ枠側片構造である。
【０００７】
請求項３の考案は、上記ベッドの上下方に、それぞれ、固定端と抵当端が形成されることを特徴とする請求項２に記載のデッキ枠側片構造である。
【０００８】
請求項４の考案は、結合孔に、ベッドが結合され、ベッドの下方に形成された抵当端で、横方向棒に抵当することにより、上記側片本体が、立てフレーム上の高さを調整することを特徴とする請求項２や３に記載のデッキ枠側片構造である。
【０００９】
請求項５の考案は、側片本体の組立て面に、シュー構造が組立てられることを特徴とする請求項１に記載のデッキ枠側片構造である。
【００１０】
請求項６の考案は、上記シュー構造に、層板が結合されることを特徴とする請求項２に記載のデッキ枠側片構造である。
【００１１】
請求項７の考案は、側片本体の組立て面に、吊り下げ部材が組立てられることを特徴とする請求項１に記載のデッキ枠側片構造である。
【００１２】
請求項８の考案は、上記吊り下げ部材が、組立てに合わせて、棒体が設けられることを特徴とする請求項４に記載のデッキ枠側片構造である。
【００１３】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１４】
図１乃至図３を参照しながら、本考案は、側片本体１０から伸びて一体成形され、上記側片本体１０の両側にある端縁を内へ湾曲して抵当端１１が形成され、これにより、側片本体１０が、門型状のシート体に形成され、抵当端１１に、一つや一つ以上の結合孔１１１が貫設され（図２のように）、また、それに合わせて複数のベッド１１２が設けられると、上記ベッド１１２の上下方に、それぞれ、固定端１１３と抵当端１１４が形成され、その側片本体１０の前後端に、それぞれ、クリップ保持端１２が設けられ、上記クリップ保持端１２に、それぞれ、定位端縁１２１と湾曲状である挟み持ち端縁１２２が形成され、その側片本体１０の表面が、組立て面１３を形成し、上記組立て面１３に、複数の組立て孔１３１が貫設され、その組立て孔１３１に、組立てのためのシュー構造２０（図３−１のように）や吊り下げ部材３０が設けられる（図３−２のように）。
【００１５】
本考案によれば、図４乃至図６のように、上記のデッキ枠４０は、二つの立てフレーム４１と連結棒４２とを組立て固定することにより構成され、上記立てフレーム４１は、複数の縦方向棒４１１を挟み持って半田付けられた横方向棒４１２から構成され、連結棒４２の両側端に、それぞれ、実装端４２１が設けられ、上記連結棒４２の実装端４２１が、立てフレーム４１の縦方向棒４１１に嵌設され、側辺支持棒４３によって圧迫されて固定され、そして、その上方に、層板４４が設置されることにより、上記デッキ枠４０の構造が構成され、上記側片本体１０の両側にあるクリップ保持端１２が、立てフレーム４１の縦方向棒４１１に係合され、クリップ保持端１２に設置された定位端縁１２１と挟み持ち端縁１２２で、左右から縦方向棒４１１を挟み持ち、また、抵当端１１で横方向棒４１２の端面に抵当することにより、上記側片本体１０が、安定的に立てフレーム４１に嵌設され、そして、抵当端１１に設置された結合孔１１１に、ベッド１１２が結合され、ベッド１１２の下方に形成された抵当端１１３で横方向棒４１１に抵当することにより、上記側片本体１０の立てフレーム４１においての高さを調整でき、また、上記側片本体１０の組立て面１３に、シュー構造２０や吊り下げ部材３０が組立てられてもよく、図３のように、立てフレーム４１が組立てられた側片本体１０で、組立てられたシュー構造２０に合わせて層板を結合して設置することにより（図７のように）、便利に引き出し収納機能がある層板構造が形成され、立てフレーム４１に組立てられた側片本体１０で、吊り下げ部材３０に合わせる場合（図８のように）、上記吊り下げ部材３０は、組立てられた棒体に合わせて、便利に衣服を掛ける箪笥のデッキ枠が形成される。
【００１６】
上記の具体的な実施例の構造によれば、次の利点が得られ、本考案に係るデッキ枠側片構造は、上記側片本体１０の両側にクリップ保持端１２が設けられ、上記クリップ保持端１２に形成された定位端縁１２１と挟み持ち端縁１２２で、左右から上記縦方向棒４１１を挟み持ち、また、抵当端１１で、横方向棒４１２に抵当し、そのため、上記側片本体１０が、安定的に立てフレーム４１に嵌設され、側片本体１０が、より安定的にデッキ枠４０に組立てられる構造になる。
【００１７】
そのため、本考案は、より進歩的かつより実用的で、法に従って実用新案登録請求を出願する。
【００１８】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１９】
【図１】本考案の立体図
【図２】本考案のベッドを結合する時の組立て概念図
【図３−１】本考案の実施例（１）
【図３−２】本考案の実施例（２）
【図４】本考案をデッキ枠に組立てる時の立体組立て図
【図５】本考案をデッキ枠に組立てる時の立体分解図
【図６】本考案をデッキ枠に組立てる時の部分拡大組立て図
【図７】本考案の実施例（１）の使用概念図
【図８】本考案の実施例（２）の使用概念図
【図９】従来の立体組立て図
【符号の説明】
【００２０】
本考案
１０    側片本体
１１    抵当端
１１１  結合孔
１１２  ベッド
１１３  固定端
１１４  抵当端
１２    クリップ保持端
１２１  定位端縁
１２２  挟み持ち端縁
１３    組立て面
１３１  組立て孔
２０    シュー構造
３０    吊り下げ部材
４０    デッキ枠
４１    立てフレーム
４１１  縦方向棒
４１２  横方向棒
４２    連結棒
４２１  実装端
４３    支持棒
４４    層板
従来
５０    デッキ枠側片
５１    抵当面
５２    組立て端
６０    デッキ枠
６１    縦方向棒
６２    横方向棒
【図１】
0003148248.tif 000003
【図２】
0003148248.tif 000004
【図３−１】
0003148248.tif 000005
【図３−２】
0003148248.tif 000006
【図４】
0003148248.tif 000007
【図５】
0003148248.tif 000008
【図６】
0003148248.tif 000009
【図７】
0003148248.tif 000010
【図８】
0003148248.tif 000011
【図９】
0003148248.tif 000012